(57)【要約】【課題】第１高周波端子及び第２高周波端子が入力端子か出力端子かをユーザが判別する必要のない放送受信装置を提供する。【解決手段】ＨＤＤレコーダ１００は、放送信号が入力されて選局を行うチューナ１１と、第１高周波端子Ｔ１及び第２高周波端子Ｔ２と、第１高周波端子Ｔ１から送られてくる放送信号をチューナ１１及び第２高周波端子Ｔ２に送出する第１信号経路、及び、第２高周波端子Ｔ２から送られてくる放送信号をチューナ１１及び第１高周波端子Ｔ１に送出する第２信号経路の切り替えを行う切替部（分配器３及びスイッチ４）と、第１高周波端子Ｔ１及び第２高周波端子Ｔ２それぞれにより入力された放送信号の受信感度を比較した結果に基づいて、第１信号経路及び第２信号経路の切り替えを行うよう切替部を制御する経路制御部１４ｃと、を備える。【選択図】図２
2014160937.tif 000002
【特許請求の範囲】
【請求項１】
放送信号が入力されて選局を行うチューナと、
第１高周波端子及び第２高周波端子を含む複数の高周波端子と、
前記第１高周波端子から送られてくる放送信号を前記チューナ及び前記第２高周波端子に送出する第１信号経路、及び、前記第２高周波端子から送られてくる放送信号を前記チューナ及び前記第１高周波端子に送出する第２信号経路を含む複数の信号経路の切り替えを行う切替部と、
前記複数の高周波端子それぞれにより入力された放送信号の受信感度を比較した結果に基づいて、前記複数の信号経路の切り替えを行うよう前記切替部を制御する経路制御部と、を備えること
を特徴とする放送受信装置。
【請求項２】
前記経路制御部は、受信可能なチャンネルを登録するためのチャンネル設定処理が実施されている最中に、前記複数の高周波端子それぞれにより入力された放送信号の受信感度を比較すること
を特徴とする請求項１に記載の放送受信装置。
【請求項３】
前記経路制御部は、
前記チャンネル設定処理が実施されている最中であって最初の受信可能なチャンネルが受信されているときに、前記複数の高周波端子それぞれにより入力された放送信号の受信感度を比較し、
前記チャンネル設定処理が実施されている最中であって最初の受信可能なチャンネルが受信されていないときに、前記複数の高周波端子それぞれにより入力された放送信号の受信感度を比較しないこと
を特徴とする請求項２に記載の放送受信装置。
【請求項４】
前記切替部は、
放送信号を伝送する複数のダイオードを有し、
前記複数のダイオードそれぞれのオン／オフを切り替えることによって前記複数の信号経路の切り替えを行うこと
を特徴とする請求項１〜３のいずれかに記載の放送受信装置。
【発明の詳細な説明】
【技術分野】
【０００１】
本発明は、放送受信装置に関するものであり、特に複数の高周波端子を有する放送受信装置に関する。
【背景技術】
【０００２】
近年、高周波信号である放送信号を入力する高周波入力端子と高周波信号である放送信号を出力する高周波出力端子とを有する放送受信装置が実用化されている。このような放送受信装置の一般的な要部構成を図８に示す。
【０００３】
図８に示す放送受信装置は、入力端子ＴIN、フィルタ１０１、ＬＮＡ（Low Noise Amplifier）１０２、分配器１０３、チューナ１０４、及び出力端子ＴOUTを備えている。入力端子ＴINは、放送受信アンテナやＳＴＢ（Set Top Box）などからの放送信号を入力信号ケーブル経由で入力する。フィルタ１０１は、入力端子ＴINから送出されてくる信号に対して放送信号の周波数帯域以外の周波数成分を抑圧する抑圧処理を施し、抑圧処理後の信号をＬＮＡ１０２に送出する。ＬＮＡ１０２は、フィルタ１０１から送出されてくる信号を増幅して分配器１０３に送出する。分配器１０３は、ＬＮＡ１０２から送出されてくる信号をチューナ１０４と出力端子ＴOUTとに分配して送出する。
【０００４】
通常、高周波入力端子ＴINと高周波出力端子ＴOUTとは同じ形状をしている。このため、ユーザが高周波出力端子ＴOUTに入力信号ケーブルを誤接続してしまう可能性がある。
【０００５】
しかしながら、上記の誤接続がなされている状態でも、信号強度によっては放送波を受信して画像／音声の出力が可能な場合があり、正しい接続であるとユーザが勘違いする可能性がある。この状態では、例えばチャンネルが切り替えられ、信号強度が弱いチャンネルが選局された場合に、画像／音声が出力されない。これを見たユーザは、例えば放送受信装置の不具合と考え、サービスセンターに問い合わせる可能性がある。
【０００６】
上記に関連して、第１の信号入出力端子が信号入力端子として使用されている場合には、第２の信号入出力端子を出力端子として使用し、第２の入出力端子が入力端子として使用されている場合には第１の信号入出力端子を出力端子として使用可能とする様に構成した信号入出力装置が開示・提案されている（例えば特許文献１を参照）。
【先行技術文献】
【特許文献】
【０００７】
【特許文献１】特開平５−１４５８６２号公報
【発明の概要】
【発明が解決しようとする課題】
【０００８】
しかしながら上記特許文献１の構成では、接続端子ごとに信号検出回路を設け、この検出結果に基づいて入出力を切り替えている。このため、接続端子の数だけ信号検出回路が必要であり、装置構成の複雑化及びコスト増加につながるという問題があった。
【０００９】
本発明の目的は、上記の状況に鑑み、第１高周波端子及び第２高周波端子を含む複数の高周波端子を有し、第１高周波端子及び第２高周波端子が入力端子か出力端子かをユーザが判別する必要のない放送受信装置を提供することにある。
【課題を解決するための手段】
【００１０】
上記目的を達成するために本発明の放送受信装置は、放送信号が入力されて選局を行うチューナと、第１高周波端子及び第２高周波端子を含む複数の高周波端子と、前記第１高周波端子から送られてくる放送信号を前記チューナ及び前記第２高周波端子に送出する第１信号経路、及び、前記第２高周波端子から送られてくる放送信号を前記チューナ及び前記第１高周波端子に送出する第２信号経路を含む複数の信号経路の切り替えを行う切替部と、前記複数の高周波端子それぞれにより入力された放送信号の受信感度を比較した結果に基づいて、前記複数の信号経路の切り替えを行うよう前記切替部を制御する経路制御部と、を備える。
【００１１】
この構成によると、第１高周波端子を入力端子とし第２高周波端子を出力端子とすることも、第１高周波端子を出力端子とし第２高周波端子を入力端子とすることもできる。また、第１信号経路及び第２信号経路の切り替えが自動的に行われるので、第１高周波端子及び第２高周波端子がそれぞれ入力端子か出力端子かのユーザによる判別が不要となる。これにより、放送受信装置と信号ケーブルとの接続作業が容易になる。また、放送受信装置が正常であるにもかかわらず、ユーザが放送受信装置に不具合が生じていると勘違いすることを防止することができる。さらに、高周波端子ごとに信号検出回路を設ける必要がないので、低コスト化を図ることができる。
【００１２】
また本発明の放送受信装置において、前記経路制御部は、受信可能なチャンネルを登録するためのチャンネル設定処理が実施されている最中に、前記複数の高周波端子それぞれにより入力された放送信号の受信感度を比較することが好ましい。
【００１３】
この構成によると、チャンネル設定処理が実施されると、第１信号経路及び第２信号経路の切り替えが自動的に行われる。チャンネル設定処理は初期設定においてほぼ確実に実施される処理であるため、第１信号経路及び第２信号経路の切り替えが実施されることをほぼ確実に保証することができる。
【００１４】
また本発明の放送受信装置において、前記経路制御部は、前記チャンネル設定処理が実施されている最中であって最初の受信可能なチャンネルが受信されているときに、前記複数の高周波端子それぞれにより入力された放送信号の受信感度を比較し、前記チャンネル設定処理が実施されている最中であって最初の受信可能なチャンネルが受信されていないときに、前記複数の高周波端子それぞれにより入力された放送信号の受信感度を比較しないことがより好ましい。
【００１５】
この構成によると、受信可能な全チャンネルに対して、受信感度の比較が実施されることを防止することができる。このため、入出力切替処理の処理時間を短縮することができる。また、最初の受信可能なチャンネルが受信されているときに、第１高周波端子及び第２高周波端子それぞれにより入力された放送信号の受信感度を比較するので、２番目以後の受信可能なチャンネルが受信されるときは、第１信号経路及び第２信号経路の切り替えが既に適切に行われている。したがって、チャンネル設定処理を適切な受信感度で行うことができる。
【００１６】
また本発明の放送受信装置において、前記切替部は、放送信号を伝送する複数のダイオードを有し、前記複数のダイオードそれぞれのオン／オフを切り替えることによって前記複数の信号経路の切り替えを行うことが好ましい。
【００１７】
このような構成によると、メカニカルなスイッチを用いる場合に比べて、小型化及び低コスト化を図ることができる。
【発明の効果】
【００１８】
本発明によれば、複数の高周波端子を有する放送受信装置において、第１高周波端子及び第２高周波端子が入力端子か出力端子かのユーザによる判別が不要となる。これにより、放送受信装置と信号ケーブルとの接続作業が容易になる。また、放送受信装置が正常であるにもかかわらず、ユーザが放送受信装置に不具合が生じていると勘違いすることを防止することができる。
【図面の簡単な説明】
【００１９】
【図１】本発明の一実施形態に係る放送受信装置の内部構成を示すブロック図である。
【図２】本発明の一実施形態に係る入出力切替処理を実施するための各機能部の構成を示す図である。
【図３】スイッチの一構成例を示す図である。
【図４】入出力切替処理を示すフロー図である。
【図５】本発明の一実施形態に係る放送受信装置の変形例を示す図である。
【図６】本発明の一実施形態に係る放送受信装置の変形例を示す図である。
【図７】本発明の一実施形態に係る放送受信装置の変形例を示す図である。
【図８】高周波入力端子及び高周波出力端子を有する放送受信装置の一般的な要部構成を示す図である。
【発明を実施するための形態】
【００２０】
以下に本発明の実施形態を、図面を参照しながら説明する。なお、ここで示す実施形態は一例であり、本発明はここに示す実施形態に限定されるものではない。
【００２１】
〈１．内部構成について〉
図１は、本発明の一実施形態に係るＨＤＤレコーダ１００（＝放送受信装置の一例）の内部構成を示すブロック図である。
【００２２】
ＨＤＤレコーダ１００は、高周波信号入出力部１０、チューナ１１、復調部１２、操作入力部１３、ＣＰＵ１４、ＲＡＭ１５、ＲＯＭ１６、ＨＤＤ１７、通信部１８、オーディオフィルタ２１、オーディオデコーダ２２、ビデオフィルタ３１、ビデオデコーダ３２、データフィルタ４１、データデコーダ４２、及び出力部５１を備えている。
【００２３】
高周波信号入出力部１０は、高周波信号である地上デジタルＴＶ放送信号の入出力を行う。
【００２４】
チューナ１１は、高周波信号入出力部１０から送られてくる地上デジタルＴＶ放送信号に対して、所望の物理チャンネルでの選局を行う。チューナ１１は、ユーザに選局指示されたチャンネル、または予約録画の対象となっているチャンネルの放送波を受信する。
【００２５】
復調部１２は、チューナ１１から入力される選局された信号を復調及びエラー訂正し、ＴＳ（Transport Stream）を出力する。復調部１２により復調されたＴＳは、後述するオーディオフィルタ２１、ビデオフィルタ３１、及びデータフィルタ４１に与えられる。
【００２６】
操作入力部１３は、不図示のリモコン送信機から出力される赤外線リモコン信号を受信するリモコン受光部を含む。リモコン送信機には、ＨＤＤレコーダ１００に対して選局指示等を行うための、プッシュボタンやタッチセンサ等が含まれている。また操作入力部１３は、ＨＤＤレコーダ１００のハウジングに設けられたハードキーやタッチパネル等の本体操作部を含む。操作入力部１３は、上記リモコン受光部および上記本体操作部のいずれかにより受け付けたユーザ操作に基づく操作信号を生成し、ＣＰＵ１４に出力する。なお操作入力部１３は、必ずしも上記リモコン受光部および上記本体操作部の両方を含む必要はなく、いずれか一方のみを含む形態でもよい。
【００２７】
ＣＰＵ１４は、各種演算、処理、制御を行う演算処理装置である。ＣＰＵ１４は、ＨＤＤレコーダ１００の各部材の駆動を有機的に制御して、放送受信処理等を統括制御する。ＲＡＭ１５は、ＣＰＵ１４のワークメモリ等に用いられる。ＲＯＭ１６は、ＣＰＵ１４が実行する制御プログラム等を格納する。
【００２８】
ＨＤＤ１７は、デジタルデータを記録する磁気記録媒体である。ＨＤＤ１７は、磁気ディスクを回転させつつ、アクチュエータによりヘッドを移動させることにより、データの記録や読み出しを行う。本実施形態では主に、放送波に含まれる画像／音声データから生成される録画データを記録するのに用いられる。
【００２９】
通信部１８は、例えば、ＩＥＥＥ８０２．３規格に準拠したネットワーク接続端子や無線ＬＡＮボード等の通信インタフェースを含む。通信部１８はこれらの通信インタフェースを用いて、ＨＤＤレコーダ１００と外部の装置、例えば不図示のパソコンやタブレット等を接続し、デジタル信号の入出力を行う。これにより、例えばＤＬＮＡ機能による画像／音声の配信や、タブレットを用いたＨＤＤレコーダ１００の遠隔操作等が可能となる。
【００３０】
オーディオフィルタ２１は、復調部１２から出力されたＴＳからオーディオデータのみを抽出する。オーディオデコーダ２２は、抽出されたオーディオデータを復号し、復号したデジタル音声信号を出力部５１へ出力する。
【００３１】
ビデオフィルタ３１は、復調部１２から出力されたＴＳからビデオデータのみを抽出する。ビデオデコーダ３２は、抽出されたビデオデータを復号し、復号したデジタル画像信号を出力部５１へ出力する。
【００３２】
データフィルタ４１は、復調部１２から出力されたＴＳから伝送パラメータ、ＮＩＴ（Network Information Table）、番組情報、データ放送等のデータを抽出する。データデコーダ４２は、抽出されたデータを復号する。復号されたデータは、ＲＡＭ１５等に記録される。
【００３３】
出力部５１は、スピーカ等の音声装置を接続して音声信号を出力するための音声出力端子や、液晶パネル等の表示装置を接続して画像信号を出力するための画像出力端子等を含む。
【００３４】
〈２．機能部の構成について〉
ここで、本発明の一実施形態に係る入出力切替処理を実施するための各機能部の構成について図２を用いながら説明する。なお図２においてＣＰＵ１４の内部に図示されている機能ブロックは、ＣＰＵ１４が所定のプログラムを実行することにより実現される機能部を表している。
【００３５】
図２に示すように、本実施形態の入出力切替処理は、高周波入出力部１０、チューナ１１、復調部１２、及びＣＰＵ１４により実施される。高周波入出力部１０は、第１高周波端子Ｔ１、第２高周波端子Ｔ２、フィルタ１、ＬＮＡ２、分配器３、及びスイッチ４を備えている。また、ＣＰＵ１４は、チャンネル設定部１４ａ、受信感度検出部１４ｂ、及び経路制御部１４ｃの各機能ブロックを備えている。
【００３６】
第１高周波端子Ｔ１及び第２高周波端子Ｔ２はそれぞれ、高周波信号である地上デジタルＴＶ放送信号を入力または出力する。なお、第１高周波端子Ｔ１及び第２高周波端子Ｔ２は同一形状の端子である。
【００３７】
スイッチ４は、第１高周波端子Ｔ１から送られてくる地上デジタルＴＶ放送信号をフィルタ１に送出し、分配器３から送られてくる地上デジタルＴＶ放送信号を第２高周波端子Ｔ２に送出する第１状態（図２中の実線参照）と、第２高周波端子Ｔ２から送られてくる地上デジタルＴＶ放送信号をフィルタ１に送出し、分配器３から送られてくる地上デジタルＴＶ放送信号を第１高周波端子Ｔ１に送出する第２状態（図２中の点線参照）とを、経路制御部１４ｃによる制御に従って切り替える。
【００３８】
フィルタ１は、スイッチ４から送出されてくる信号に対して地上デジタルＴＶ放送信号の周波数帯域以外の周波数成分を抑圧する抑圧処理を施し、抑圧処理後の信号をＬＮＡ２に送出する。ＬＮＡ２は、フィルタ１から送出されてくる信号を増幅して分配器３に送出する。分配器３は、ＬＮＡ２から送出されてくる信号をチューナ１１とスイッチ４とに分配して送出する。
【００３９】
チューナ１１、復調部１２、及びＣＰＵ１４に関しては上記において既に説明したので、ここでは説明を省略する。
【００４０】
チャンネル設定部１４ａは、操作入力部１３（図１参照）から送られてくる操作信号に従って、または、予約録画の内容に従って、チューナ１１が選局するチャンネルを設定し、その設定情報をチューナ１１に出力する。
【００４１】
受信感度検出部１４ｂは、復調部１２での復調結果に基づいて受信感度、すなわち地上デジタルＴＶ放送信号の電界強度を検出する。
【００４２】
経路制御部１４ｃは、受信感度検出部１４ｂでの検出結果に基づいてスイッチ４を制御する。
【００４３】
ここで、スイッチ４の一構成例について図３を用いて説明する。図３に示す構成例では、スイッチ４は、ダイオードＤ１〜Ｄ４、直流阻止用コンデンサＣ１〜Ｃ８、高周波阻止用インダクタＬ１〜Ｌ８、及びプルダウン用抵抗Ｒ１〜Ｒ４を備えている。
【００４４】
ダイオードＤ１のアノード、ダイオードＤ２のカソード、ダイオードＤ３のカソード、及びダイオードＤ４のアノードにバイアス電圧Ｖ１を印加し、ダイオードＤ１のカソード、ダイオードＤ２のアノード、ダイオードＤ３のアノード、及びダイオードＤ４のカソードにバイアス電圧Ｖ２を印加しないことにより、ダイオードＤ１及びＤ４がオンになり、ダイオードＤ２及びＤ３がオフになるので、スイッチ４を上記の第１状態（図２中の実線及び図３中の一点鎖線参照）にすることができる。逆に、  ダイオードＤ１のアノード、ダイオードＤ２のカソード、ダイオードＤ３のカソード、及びダイオードＤ４のアノードにバイアス電圧Ｖ１を印加せず、ダイオードＤ１のカソード、ダイオードＤ２のアノード、ダイオードＤ３のアノード、及びダイオードＤ４のカソードにバイアス電圧Ｖ２を印加することにより、ダイオードＤ１及びＤ４がオフになり、ダイオードＤ２及びＤ３がオンになるので、スイッチ４を上記の第２状態（図２中の点線及び図３中の点線参照）にすることができる。
【００４５】
図３に示す構成例では、経路の切替をダイオードのオン／オフによって実現しているので、メカニカルなスイッチを用いる場合に比べて、小型化及び低コスト化を図ることができる。
【００４６】
〈３．入出力切替処理について〉
次に、本発明の一実施形態に係るＨＤＤレコーダ１００が実施する、入出力切替処理について、図４のフロー図を用いながら説明する。
【００４７】
本実施形態の処理フローは、ＨＤＤレコーダ１００の初期設定時等において実施される、チャンネル設定処理の開始指示が検知された時点で開始される。本処理の開始後、ステップＳ１１０において、チャンネル設定部１４ａはチャンネル設定モードへの切り替えを行い、切替制御部１４ｃは切替ＳＷフラグを０に設定する。
【００４８】
次に、チャンネル設定部１４ａは所定の選局チャンネルの受信を開始する（ステップＳ１２０）。次に、切替制御部１４ｃは、切替ＳＷフラグが０であるか否かを判定する（ステップＳ１３０）。
【００４９】
ステップＳ１３０において切替ＳＷフラグが０（スイッチ４の状態が可変であることを意味する）であると判定された場合、経路制御部１４ｃは、スイッチ４を上記第１の状態、すなわち第１高周波端子Ｔ１から送られてくる地上デジタルＴＶ放送信号をフィルタ１に送出し、分配器３から送られてくる地上デジタルＴＶ放送信号を第２高周波端子Ｔ２に送出する状態にする（ステップＳ１４０）。
【００５０】
ステップＳ１４０に続くステップＳ１５０において、チューナ１１が受信を試み、受信感度検出部１４ｂが受信感度を検出する。
【００５１】
ステップＳ１５０に続くステップＳ１６０において、経路制御部１４ｃは、スイッチ４を上記第２の状態、すなわち第２高周波端子Ｔ２から送られてくる地上デジタルＴＶ放送信号をフィルタ１に送出し、分配器３から送られてくる地上デジタルＴＶ放送信号を第１高周波端子Ｔ１に送出する状態にする。
【００５２】
ステップＳ１６０に続くステップＳ１７０において、チューナ１１が受信を試み、受信感度検出部１４ｂが受信感度を検出する。
【００５３】
ステップＳ１７０に続くステップＳ１８０において、ＣＰＵ１４は、ステップＳ１５０で検出した受信感度、ステップＳ１７０で検出した受信感度の少なくとも一方で受信可能であるか否かを判定する。
【００５４】
ステップＳ１５０で検出した受信感度及びステップＳ１７０で検出した受信感度のいずれでも受信ができないと判定された場合、チャンネル登録を行わずに、後述するステップＳ２３０の処理に移行する。
【００５５】
ステップＳ１５０で検出した受信感度及びステップＳ１７０で検出した受信感度の少なくとも一方で受信できると判定された場合、経路制御部１４ｃは、ステップＳ１５０で検出した受信感度がステップＳ１７０で検出した受信感度よりも大きいか否かを判定する（ステップＳ１９０）。
【００５６】
ステップＳ１５０で検出した受信感度がステップＳ１７０で検出した受信感度よりも大きいと判定された場合、経路制御部１４ｃは、経路制御部１４ｃは、スイッチ４を上記第１の状態とし（ステップＳ２００）、その後、切替ＳＷフラグを０から１（スイッチ４の状態が固定であることを意味する）に変更する（ステップＳ２１０）。
【００５７】
一方、ステップＳ１５０で検出した受信感度がステップＳ１７０で検出した受信感度よりも大きくないと判定された場合、経路制御部１４ｃは、経路制御部１４ｃは、スイッチ４を上記第２の状態にしたまま、切替ＳＷフラグを０から１に変更する（ステップＳ２１０）。
【００５８】
ステップＳ２１０に続くステップＳ２２０において、ＣＰＵ１４は、現在受信しているチャンネルをＲＯＭ１６に登録（不揮発的に記憶）し、後述するステップＳ２３０の処理に移行する。
【００５９】
また、ステップＳ１３０において切替ＳＷフラグが０でないと判定された場合、チューナ１１が受信を試み（ステップＳ３１０）、ＣＰＵ１４が受信可能であるか否かを判定する（ステップＳ３２０）。ステップＳ３２０において受信可能であると判定された場合には、ステップＳ２２０の処理に移行し、ステップＳ３２０において受信可能でないと判定された場合には、ステップＳ２３０の処理に移行する。
【００６０】
ステップＳ２３０において、ＣＰＵ１４は次のチャンネルが有るか否かを判定する。次のチャンネルが有ると判定された場合、チャンネル設定部１４ａは、次のチャンネルを選局チャンネルとし（ステップＳ２４０）、ステップＳ１２０の処理に移行する。一方、次のチャンネルがないと判定された場合、図４に示すフロー処理を終了する。
【００６１】
以上に説明した本実施形態によれば、ＨＤＤレコーダ１００は、放送信号が入力されて選局を行うチューナ１１と、第１高周波端子Ｔ１及び第２高周波端子Ｔ２と、第１高周波端子Ｔ１から送られてくる放送信号をチューナ１１及び第２高周波端子Ｔ２に送出する第１信号経路、及び、第２高周波端子Ｔ２から送られてくる放送信号をチューナ１１及び第１高周波端子Ｔ１に送出する第２信号経路の切り替えを行う切替部（分配器３及びスイッチ４）と、第１高周波端子Ｔ１及び第２高周波端子Ｔ２それぞれにより入力された放送信号の受信感度を比較した結果に基づいて、第１信号経路及び第２信号経路の切り替えを行うよう切替部を制御する経路制御部１４ｃと、を備える。
【００６２】
このため、第１高周波端子Ｔ１を入力端子とし第２高周波端子Ｔ２を出力端子とすることも、第１高周波端子Ｔ１を出力端子とし第２高周波端子Ｔ２を入力端子とすることもできる。また、第１信号経路及び第２信号経路の切り替えが自動的に行われるので、第１高周波端子Ｔ１及び第２高周波端子Ｔ２がそれぞれ入力端子か出力端子かのユーザによる判別が不要となる。これにより、ＨＤＤレコーダ１００と信号ケーブルとの接続作業が容易になる。また、ＨＤＤレコーダ１００が正常であるにもかかわらず、ユーザがＨＤＤレコーダ１００に不具合が生じていると勘違いすることを防止することができる。さらに、高周波端子ごとに信号検出回路を設ける必要がないので、低コスト化を図ることができる。
【００６３】
また本実施形態によれば、経路制御部１４ｃは、受信可能なチャンネルを登録するためのチャンネル設定処理が実施されている最中に、第１高周波端子Ｔ１及び第２高周波端子Ｔ２それぞれにより入力された放送信号の受信感度を比較する。
【００６４】
このため、チャンネル設定処理が実施されると、第１信号経路及び第２信号経路の切り替えが自動的に行われる。チャンネル設定処理は初期設定においてほぼ確実に実施される処理であるため、第１信号経路及び第２信号経路の切り替えが実施されることをほぼ確実に保証することができる。
【００６５】
また本実施形態によれば、経路制御部１４ｃは、チャンネル設定処理が実施されている最中であって最初の受信可能なチャンネルが受信されているときに、第１高周波端子Ｔ１及び第２高周波端子Ｔ２それぞれにより入力された放送信号の受信感度を比較し、チャンネル設定処理が実施されている最中であって最初の受信可能なチャンネルが受信されていないときに、第１高周波端子Ｔ１及び第２高周波端子Ｔ２それぞれにより入力された放送信号の受信感度を比較しない。
【００６６】
このため、受信可能な全チャンネルに対して、受信感度の比較が実施されることを防止することができる。このため、入出力切替処理の処理時間を短縮することができる。また、最初の受信可能なチャンネルが受信されているときに、第１高周波端子Ｔ１及び第２高周波端子Ｔ２それぞれにより入力された放送信号の受信感度を比較するので、２番目以後の受信可能なチャンネルが受信されるときは、第１信号経路及び第２信号経路の切り替えが既に適切に行われている。したがって、チャンネル設定処理を適切な受信感度で行うことができる。
【００６７】
また本実施形態によれば、スイッチ４は、放送信号を伝送するダイオードＤ１〜Ｄ４を有し、ダイオードＤ１〜Ｄ４それぞれのオン／オフを切り替えることによって第１信号経路及び第２信号経路の切り替えを行う。
【００６８】
このため、メカニカルなスイッチを用いる場合に比べて、小型化及び低コスト化を図ることができる。
【００６９】
［その他の実施の形態］
以上、好ましい実施の形態及び実施例をあげて本発明を説明したが、本発明は必ずしも上記実施の形態に限定されるものではなく、その技術的思想の範囲内において様々に変形して実施することができる。
【００７０】
例えば、高周波端子が入力または出力する高周波信号は地上デジタルＴＶ放送信号に限らない。例えば、例えば衛星デジタルＴＶ放送信号などの地上デジタルＴＶ放送信号以外の放送信号を高周波端子が入力または出力する場合にも本発明を適用することができる。
【００７１】
また、本発明に係る放送受信装置は、ＨＤＤレコーダに限らず、複数の高周波端子を有する放送受信装置全般に適用することができる。
【００７２】
また、上記実施形態では、本発明の入出力切替処理に関わる各機能部が、マイクロプロセッサ等の演算処理装置上で所定のプログラムを実行することにより実現されているが、各種機能部が複数の回路により実現される形態でもよい。
【００７３】
また、上記実施形態では、本発明の入出力切替処理は、チャンネル設定処理が実施されている最中に実施されているが、これに代えて又はこれに加えて、例えば、操作入力部１３が入出力切替処理の実施を命ずるユーザ操作を受け付けた場合に、入出力切替処理を実施するようにしてもよい。
【００７４】
また、上記実施形態では、高周波端子が第１高周波端子Ｔ１及び第２高周波端子Ｔ２の２つであるが、高周波端子は３つ以上であっても構わない。この場合、第１高周波端子Ｔ１及び第２高周波端子Ｔ２以外の高周波端子が、第１高周波端子Ｔ１及び第２高周波端子Ｔ２と異なる形状であれば、第１高周波端子Ｔ１及び第２高周波端子Ｔ２に関してのみ信号経路を切り替えれば足りる。
【００７５】
第１高周波端子Ｔ１及び第２高周波端子Ｔ２以外の高周波端子が、第１高周波端子Ｔ１及び第２高周波端子Ｔ２と同一の形状であれば、第１高周波端子Ｔ１及び第２高周波端子Ｔ２以外の高周波端子も含めた複数の高周波端子に関して信号経路を切り替えることが好ましい。
【００７６】
例えば、第１高周波端子Ｔ１及び第２高周波端子Ｔ２と同一形状である第３高周波端子Ｔ３を設けた場合には、分配器３及びスイッチ４の機能を変更し、図５〜図７のような信号経路の切り替えを行うとよい。具体的には、第１高周波端子Ｔ１により入力された放送信号の受信感度が第２高周波端子Ｔ２により入力された放送信号の受信感度及び第３高周波端子Ｔ３により入力された放送信号の受信感度よりも高い場合は、図５に示す信号経路にすればよい。また、第２高周波端子Ｔ２により入力された放送信号の受信感度が第１高周波端子Ｔ１により入力された放送信号の受信感度及び第３高周波端子Ｔ３により入力された放送信号の受信感度よりも高い場合は、図６に示す信号経路にすればよい。また、第３高周波端子Ｔ３により入力された放送信号の受信感度が第１高周波端子Ｔ１により入力された放送信号の受信感度及び第２高周波端子Ｔ２により入力された放送信号の受信感度よりも高い場合は、図７に示す信号経路にすればよい。
【符号の説明】
【００７７】
１、１０１  フィルタ
２、１０２  ＬＮＡ
３、１０３  分配器
４  スイッチ
１０  高周波信号入出力部
１１、１０４  チューナ
１２  復調部
１３  操作入力部
１４  ＣＰＵ
１４ａ  チャンネル設定部
１４ｂ  受信感度検出部
１４ｃ  経路制御部１４ｃ
１５  ＲＡＭ
１６  ＲＯＭ
１７  ＨＤＤ
１８  通信部
２１  オーディオフィルタ
２２  オーディオデコーダ
３１  ビデオフィルタ
３２  ビデオデコーダ
４１  データフィルタ
４２  データデコーダ
５１  出力部
１００  ＨＤＤレコーダ（放送受信装置の一例）
Ｃ１〜Ｃ８  直流阻止用コンデンサ
Ｄ１〜Ｄ４  ダイオード
Ｌ１〜Ｌ８  高周波阻止用インダクタ
Ｒ１〜Ｒ４  プルダウン用抵抗
Ｔ１  第１高周波端子
Ｔ２  第２高周波端子
Ｔ３  第３高周波端子
ＴIN  高周波入力端子
ＴOUT  高周波出力端子
【図１】
2014160937.tif 000003
【図２】
2014160937.tif 000004
【図３】
2014160937.tif 000005
【図４】
2014160937.tif 000006
【図５】
2014160937.tif 000007
【図６】
2014160937.tif 000008
【図７】
2014160937.tif 000009
【図８】
2014160937.tif 000010